(57)【要約】【課題】楽器本体の上に置く物の操作性、作業性、視認性等を向上させることができるようにした鍵盤楽器の屋根板取付構造を提供する。【解決手段】楽器本体２の上面を形成する屋根板６を演奏者側に角度θだけ傾斜させて固定することにより、ノート型のパーソナルコンピュータやサブキーボード等の機器を設置して使用するとき、手や腕が自然な角度で操作することができるようにし、また楽譜やノート等を楽器本体２の上に置いて読んだり書いたりする際、上からのぞき込まなくても読み書きすることができるようにし、前記機器の操作性、作業性、楽譜の視認性等を向上させる。【選択図】        図１
2004325993.tif 000002
【特許請求の範囲】
【請求項１】
楽器本体の上面を形成する屋根板を演奏者側に傾斜させて設けたことを特徴とする鍵盤楽器の屋根板取付構造。
【請求項２】
楽器本体の上面を形成する屋根板を、角度調整機構によって水平な状態から略垂直な角度範囲内において演奏者側に角度調整可能に取付けたことを特徴とする鍵盤楽器の屋根板取付構造。
【請求項３】
請求項２記載の鍵盤楽器の屋根板取付構造において、
前記屋根板を傾動させる駆動モータを備えていることを特徴とする鍵盤楽器の屋根板取付構造。
【発明の詳細な説明】
【０００１】
【発明の属する技術分野】
本発明は、ピアノ、電気ピアノ、電子ピアノ等の鍵盤楽器の屋根板取付構造に関する。
【０００２】
【従来の技術】
生ピアノ（グランドピアノ、アップライトピアノ）、電気ピアノ、電子ピアノ、キーボード等の鍵盤楽器で高さの低いものは、いずれも楽器本体の上面を形成する屋根板（上面板）を水平に設置しており（例えば、特許文献１参照）、また楽器によっては必要に応じて開閉自在に取付けている。例えば、グランドピアノでは、屋根板の低音側端縁をヒンジによって回動自在に枢支することによりピアノの側方に開閉自在に構成し、演奏時に高音側を開放させることにより、演奏音を楽器本体の上方から外部に放射し、屋根板によって水平方向に反射させるようにしている（例えば、特許文献２参照）。また、アップライトピアノでは、屋根板を前後方向に開閉自在に取付け、後方に倒して楽器本体を上方に開放させることにより、調律作業を容易に行えるようにしている。なお、出願人は本明細書に記載した先行技術文献情報で特定される先行技術文献以外には、本発明に密接に関連する先行技術文献を出願時までに見つけ出すことはできなかった。
【０００３】
【特許文献１】
特開平５−２４１５６７号公報
【特許文献２】
特開平１１−３０５７６１号公報
【０００４】
【発明が解決しようとする課題】
従来の鍵盤楽器はいずれも楽器本体の上に教本や筆記用具、その他各種の物品、機器を置く際の安定性を考慮して屋根板を水平に設置しているが、機器の操作性、作業性や楽譜の視認性等については十分な配慮がなされていないという問題があった。すなわち、例えばサブキーボード、ノート型のパーソナルコンピュータ等の電子機器を楽器本体の上に置いて操作する際、楽器本体の高さが高いと、腕が下から上に向かって延び手首を水平に折り曲げて機器を操作する格好になるため、手や腕を不自然に折らなければならないため疲労し易く、長時間の操作に耐えられなくなる。また、楽譜やノート等を楽器本体の上に置いて読んだり書いたりするとき、特に背の低い子供などは椅子から立ち上がって上からのぞき込むような姿勢になり読み書きし難い。
【０００５】
本発明は上記した従来の問題を解決するためになされたもので、その目的とするところは、楽器本体の上に置く物の操作性、作業性、視認性等を向上させることができるようにした鍵盤楽器の屋根板取付構造を提供することにある。
【０００６】
【課題を解決するための手段】
上記目的を達成するために第１の発明は、楽器本体の上面を形成する屋根板を演奏者側に傾斜させて設けたものである。
【０００７】
このような構造においては、ノート型のパーソナルコンピュータ等の機器を楽器本体の上に置いてキー操作する際、屋根板が予め演奏者側に傾いているとその角度だけ手首を折り曲げる必要がなく、手や腕の角度が自然で疲労し難い。また、楽譜やノート等を楽器本体の上に置いて読んだり書いたりするとき、上からのぞき込まなくても読み書きすることができる。
【０００８】
第２の発明は、楽器本体の上面を形成する屋根板を、角度調整機構によって水平な状態から略垂直な角度範囲内において演奏者側に角度調整可能に取付けたものである。
【０００９】
このような構造においては、屋根板の角度を使用目的に応じて最適角度に調整することができる。例えば、物品を安定した状態で置いておく場合は水平に位置付け、サブキーボード、ノート型のパーソナルコンピュータ等の機器を置いて操作したり、楽譜やノートを置いて読んだ入り書いたりする場合は、それに適した角度に調整すればよい。
【００１０】
第３の発明は、上記第２の発明において、前記屋根板を傾動させる駆動モータを備えたものである。
【００１１】
このような構造においては、駆動モータによって屋根板を角度調整することができ、演奏者が傾動させる負担を軽減することができる。
【００１２】
【発明の実施の形態】
以下、本発明を図面に示す実施の形態に基づいて詳細に説明する。
図１は本発明に係る鍵盤楽器の屋根板取付構造をグランド型のキーボードに適用した第１の実施の形態を示す正面図、図２は同キーボードの側面図である。これらの図において、全体を符号１で示すキーボードは箱型に形成された楽器本体２を備えている。楽器本体２は、底板３、左右一対の腕木（側板）４、上前板５、屋根板６、背面板７、左右一対の拍子木８、口棒９等からなり、底板３の上面前端部に幅方向に並設された複数の白鍵および黒鍵からなる鍵盤１０が配設され、内部にはスピーカ、スイッチ、各種の電気回路等が組み込まれている。
【００１３】
前記屋根板６は、前記左右一対の腕木４、上前板５および背面板７の上に設置され、図示しない止めねじによって固定されている。この場合、前記腕木４の上面４ａは演奏者側（楽器本体２の前方側）に所要角度（θ）傾斜しており、この傾斜した上面４ａに下面を密接させて屋根板６を設置し止めねじで固定している。このため、屋根板６も角度θだけ演奏者側に傾斜している。
【００１４】
屋根板６の傾斜角度θは５〜３０°の角度範囲内であって、屋根板６上に載置したサブキーボードやノート型のパーソナルコンピュータ等の機器を操作するときの操作性、あるいは屋根板６上に載置した楽譜やノートに対して演奏者が椅子に座った自然な姿勢で書きものをしたり楽譜を読んだりするときの視認性を考慮した最適角度に設定されることが望ましい。
【００１５】
このように、屋根板６を演奏者側に所要角度傾斜させて固定しておくと、サブキーボードやノート型のパーソナルコンピュータ等の機器を操作するときに手首を折り曲げる角度が小さくてすむため、手や腕の疲労が少なく、長時間にわたるキー操作が可能である。また、楽譜やノートを見たり、楽譜を書いたりするとき、椅子から立ち上がって上からのぞき込む必要がなく、快適に読み書きすることができる。
【００１６】
図３は本発明の第２の実施の形態を示す一部破断側面図である。
この実施の形態は、左右の腕木５間に屋根板６を配置してその両端面を腕木５の内面に密接させ、上前板５と背面板７の上に設置固定したものであり、その他の構造は上記した第１の実施の形態と略同一である。
【００１７】
このような取付構造においても、屋根板６を演奏者側に角度θ傾斜させて固定しているため、上記した第１の実施の形態と同様な効果が得られることは明らかであろう。
【００１８】
図４は本発明の第３の実施の形態を示す側面図である。
この実施の形態は、楽器本体２の前面を形成する上前板５の上端に屋根板６を角度調整手段を構成するトルクヒンジ１２を介して前後方向に角度調整可能に取付けたものである。
【００１９】
前記トルクヒンジ１２は、回動抵抗を調整可能にした従来から広く知られているもので、上前板６を使用角度範囲内（例えばα＝０°〜８０°）において任意の角度位置に維持することができる。屋根板６は、通常および不使用時において水平な状態（α＝０°）に保持されており、サブキーボードやノート型のパーソナルコンピュータ等の機器を設置して操作したり、あるいは楽譜やノートを載置して読んだり読み書きするときに演奏者側に適宜角度傾斜される。
【００２０】
このような構造においては、トルクヒンジ１２によって屋根板６を前後方向に角度調整可能に枢支しているので、屋根板６を演奏者の好みの角度に調整することができる。
また、屋根板６を演奏者側に最大角度傾斜させて使用する場合は、屋根板６に譜面を立て掛けることにより、屋根板６を譜面板として兼用することが可能であり、従来必要としていた譜面板を取り除くことができる。
【００２１】
ここで、屋根板６が重量物でトルクヒンジ１２のトルクが小さい場合は屋根板が後方に倒れるおそれがある。その場合は、ワンウエイクラッチ（フリーロックヒンジ）等を併用したり、あるいは図５に示す第４の実施の形態のように支え部材１３によって屋根板６を後方から支持するようにすればよい。なお、１４は支え部材１３が折り畳み自在に設けられる中板である。
【００２２】
また、図６に示す第５の実施の形態のように屋根板６の前端側を回動軸１６によって回動自在に枢支し、駆動モータ１７の回転を歯車列１８を介して前記回動軸１６に伝達することにより、屋根板６の傾斜角度を調整するようにしてもよい。
【００２３】
このような構造においては、演奏者が手でスイッチを操作して駆動モータ１７を駆動させるだけで屋根板６の傾斜角度を調整することができるため、演奏者の労力を軽減することができる。
【００２４】
図７は本発明の第６の実施の形態を示す側面図である。
この実施の形態はグランドピアノに適用した例を示すもので、楽器本体２１の上面を形成する屋根後（屋根板）２２を屋根前２３にトルクヒンジ１２または通常のヒンジを介して演奏者側に角度調整可能に取付けたものである。なお、２４は前框である。
【００２５】
このような構造においても、上記した第２の実施の形態と同様な効果が得られることは明らかであろう。
【００２６】
なお、上記した実施の形態は、グランド型のキーボードとグランドピアノの屋根後に適用した例を示したが、本発明はこの楽器に何ら限定されるものではなく、アップライトのピアノの屋根板にも適用することが可能である。
【００２７】
【発明の効果】
以上説明したように本発明に係る鍵盤楽器の屋根板取付構造によれば、屋根板が演奏者側に傾斜しているか、または屋根板を演奏者側に傾斜させることができるように構成したので、屋根上にサブキーボードやパーソナルコンピュータ等の機器を置いて使用するときに手や腕が自然な角度で操作することができるので肉体的な疲労が少なく、前記機器の操作性等向上させることができる。
また、楽譜やノートを屋根板上に載置して譜面を読んだり楽譜を書いたりするする際には、椅子に自然に座った状態で読んだり書いたりすることができる。
さらに、屋根板を立てて使用する場合は譜面板としても使用することができるため、格別な譜面板を別個に製作する必要がなく、部品点数を削減することができる。
【図面の簡単な説明】
【図１】本発明に係る鍵盤楽器の屋根板取付構造をグランド型のキーボードに適用した第１の実施の形態を示す正面図である。
【図２】同キーボードの側面図である。
【図３】本発明の第２の実施の形態を示す一部破断断面図である。
【図４】本発明の第３の実施の形態を示す側面図である。
【図５】本発明の第４の実施の形態を示す一部破断側面図である。
【図６】本発明の第５の実施の形態を示す側面図である。
【図７】本発明の第６の実施の形態を示す側面図である。
【符号の説明】
２…楽器本体、３…底板、４…腕木、５…前面板、６…屋根板、７…背面板、１０…鍵盤、１２…トルクヒンジ、１７…駆動モータ、２１…楽器本体、２２…屋根後。
【図１】
2004325993.tif 000003
【図２】
2004325993.tif 000004
【図３】
2004325993.tif 000005
【図４】
2004325993.tif 000006
【図５】
2004325993.tif 000007
【図６】
2004325993.tif 000008
【図７】
2004325993.tif 000009